(57)【要約】【課題】  印刷制御装置に内蔵されているＷｅｂサーバーの操作マニュアルの変更・管理が容易でありながら、利用者による操作不明点を解消するまでの時間を削減する。【解決手段】  Ｗｅｂブラウザに表示する同一ページ内（一つのＨＴＭＬファイル）のコンテンツに、Ｗｅｂサーバーの操作マニュアルを記載し、そのＷｅｂサーバーの操作マニュアルを表示切替手段により瞬時に表示・非表示する。【選択図】  図１
2008162251.tif 000002
【特許請求の範囲】
【請求項１】
Ｗｅｂブラウザに表示する同一ページ内のコンテンツに、Ｗｅｂサーバーの操作マニュアルを記載することを特徴とする印刷制御装置。
【請求項２】
請求項１記載の印刷制御装置において、前記Ｗｅｂサーバーの操作マニュアルを表示切替手段により瞬時に表示・非表示することを特徴とする印刷制御装置。
【発明の詳細な説明】
【技術分野】
【０００１】
本発明は、Ｗｅｂサーバーを搭載する印刷制御装置に関するものである。
【背景技術】
【０００２】
印刷装置利用者が印刷制御装置に内蔵されているＷｅｂサーバーの操作について不明な場合、印刷物や電子ファイルで供給されているＷｅｂサーバの操作マニュアルをその度調べる必要があり操作不明点を解消するまでに時間が掛かっていた。
【０００３】
また、Ｗｅｂサーバの操作マニュアルは、利用者へ印刷物や電子ファイルの供給をしている。このため、Ｗｅｂサーバの操作マニュアル作成者は、Ｗｅｂのコンテンツが変更された後、非同期にＷｅｂサーバの操作マニュアルを変更するため、ＷｅｂのコンテンツとＷｅｂサーバの操作マニュアルの内容が一致しない不具合が発生する場合がある。また、Ｗｅｂサーバの操作マニュアルが納め先毎に違う場合、一つの変更に対し複数のＷｅｂサーバの操作マニュアルを変更する必要があるなど、変更・管理が困難であった。
【０００４】
また、公知技術として操作不明点を解消するために従来よりヘルプファイルが知られているが、利用者が別のウインドウを開いたり閉じたりしなくてはならない不便さがある。
【０００５】
図２にて、従来の印刷装置の構成を説明する。
【０００６】
印刷制御装置２０２と、クライアントＰＣ２０９は、ネットワーク２１０を介して接続されている。印刷装置２０１には、印刷制御装置２０２、印刷機構部２０３、があり印刷制御装置２０２内にネットワークＩ／Ｆ２０４、Ｗｅｂサーバ２０６、データ格納メディア２０７、制御プログラムが動作する制御部２０５が存在する。
【０００７】
クライアントＰＣ２０９のブラウザは、ネットワークＩ／Ｆ２１０を経由してＷｅｂサーバにと通信する。Ｗｅｂサーバ２０６は、クライアントＰＣ２０９のブラウザの要求を受信し、制御プログラム２０５を動作させ、データ格納メディアからページ（ＨＴＭＬ）を読み込み、その内容を解析し、消耗品の状態やエラー情報などを印刷機構部２０３や印刷制御装置２０２から取得その情報をページ（ＨＴＭＬ）に加味してクライアントＰＣ２０９のブラウザに応答する。
【発明の開示】
【発明が解決しようとする課題】
【０００８】
本発明の課題は、印刷制御装置に内蔵されているＷｅｂサーバーの操作マニュアルの変更・管理が容易でありながら、利用者による操作不明点を解消するまでの時間を削減することにある。
【課題を解決するための手段】
【０００９】
前記課題を解決するため本発明は、Ｗｅｂブラウザに表示する同一ページ内（一つのＨＴＭＬファイル）のコンテンツに、Ｗｅｂサーバーの操作マニュアルを記載すること、および前記Ｗｅｂサーバーの操作マニュアルを表示切替手段により瞬時に表示・非表示することを特徴とするものである。
【発明の効果】
【００１０】
本発明により、印刷装置利用者は印刷制御装置に内蔵されているＷｅｂサーバーの操作が不明な場合、Ｗｅｂブラウザ上の切替手段により、Ｗｅｂサーバの操作マニュアルを瞬時に表示し閲覧することが可能となり、操作不明点を解消するまでに時間を短縮できる。また、Ｗｅｂサーバの操作マニュアルを必要としない場合は、Ｗｅｂサーバの操作マニュアルを非表示とすることでシンプルなコンテンツを閲覧することができる。
【００１１】
また、Ｗｅｂのコンテンツの変更に同期にしてＷｅｂサーバの操作マニュアルの内容を変更するため、サーバ上での内容の不一致がなくなる。
【発明を実施するための最良の形態】
【００１２】
以下、本発明の実施の形態について添付の図１を使用しながら詳細に説明する。
【００１３】
作成者は、一つのページ（ＨＴＭＬファイル）作成時１０１、そのページのコンテンツ１０２に対するＷｅｂサーバの操作マニュアルの内容１０３を、コンテンツに含めた形式で記載する。その記載したＷｅｂサーバの操作マニュアルを表示・非表示するためのブラウザ上に表示する表示切換手段（ボタン等）１０４をページに組み込む。
【００１４】
また、その表示切換手段によりＷｅｂサーバの操作マニュアルを表示・非表示するＷｅｂサーバの操作マニュアル表示・非表示手段１０５をページに組み込む。Ｗｅｂサーバの操作マニュアル表示・非表示手段１０５としては、ＣＧＩ、ダイナミックＨＴＭＬ、ＪＡＶＡ等を用いることが考えられるが、クライアントで切替が可能であり、且つサーバーへのアクセスが不要であることが最もよい。
【００１５】
利用者は、クライアントＰＣのブラウザから、閲覧したいページをクリックする。ネットワークを介してＷｅｂサーバは、要求されたページをクライアントＰＣに応答し、これによりブラウザに閲覧したいページが表示１０６される。この時、利用者がＷｅｂサーバの操作マニュアルを表示１０３したい場合、表示切換手段１０７を操作することにより、Ｗｅｂサーバの操作マニュアル表示・非表示手段１０５を動作させ、Ｗｅｂサーバの操作マニュアル１１２が表示される。
【００１６】
また、利用者がＷｅｂサーバの操作マニュアル１０３を表示したくない場合、表示切換手段１１０を操作することにより、Ｗｅｂサーバの操作マニュアル表示・非表示手段１０５を動作させ、Ｗｅｂサーバの操作マニュアル１１２が非表示される１０６。この時、クッキーなどを用いてクライアントＰＣにＷｅｂサーバの操作マニュアル表示・非表示状態を記憶し、以降のページ表示においてもＷｅｂサーバの操作マニュアル表示・非表示を反映するのもよい。
【００１７】
印刷制御装置に限らず、Ｗｅｂサーバを利用したユーザインターフェースすべてに適用できる。
【図面の簡単な説明】
【００１８】
【図１】本発明の一実施例であるＷｅｂサーバの操作マニュアル表示切換手段を示す図である。
【図２】背景技術を示した図である。
【符号の説明】
【００１９】
１０１  ページ作成
１０２  コンテンツ１、２
１０３  Ｗｅｂ操作マニュアルの記載
１０４  表示切替手段
１０５  Ｗｅｂ操作マニュアル表示・非表示手段
１０６  Ｗｅｂ操作マニュアル非表示結果
１０７  表示切替手段（Ｗｅｂ操作マニュアル非表示時）
１０８  コンテンツ１、２（Ｗｅｂ操作マニュアル非表示時）
１０９  Ｗｅｂ操作マニュアル表示結果（Ｗｅｂ操作マニュアル非表示時）
１１０  表示切替手段（Ｗｅｂ操作マニュアル表示時）
１１１  コンテンツ１、２（Ｗｅｂ操作マニュアル表示時）
１１２  Ｗｅｂ操作マニュアルの記載（Ｗｅｂ操作マニュアル表示時）
２０１  印刷装置
２０２  印刷制御装置
２０３  印刷機構部
２０４  ネットワークＩ／Ｆ
２０５  制御部
２０６  Ｗｅｂサーバ機能
２０７  データ格納メディア
２０８  エンジン
２０９  クライアントＰＣ
２１０  ネットワーク
【図１】
2008162251.tif 000003
【図２】
2008162251.tif 000004